(57)【要約】【課題】機能部品の実装領域の一部が筐体の脚部に侵入した形状を有し、更なる薄型化を実現できる電子機器を提供する。【解決手段】底壁３０を有する筐体１２と、この底壁３０から下方に突出し、筐体１２が載置された場合に該筐体１２を支持するゴム脚部５１と、このゴム脚部５１の上方に配置されたＴＶジャック６０と、を具備し、このＴＶジャック６０の最下点が底壁３０と同じ高さ、あるいはゴム脚部５１に侵入していることを特徴とする。【選択図】  図７
2011138361.tif 000002
【特許請求の範囲】
【請求項１】
底壁を有する筐体と、
前記底壁から下方に突出し、前記筐体が載置された場合に該筐体を支持する脚部と、
前記脚部の上方に配置された機能部品と、を具備し、
前記機能部品の最下点が前記底壁と同じ高さ、あるいは前記脚部に侵入していることを特徴とする電子機器。
【請求項２】
前記脚部は、底板から直接下方に突出した略矩形状の凹部が形成されたことを特徴とする請求項１記載の電子機器。
【請求項３】
前記機能部品は、外部機器と接続するための部品であって、ジャックやコネクタからなることを特徴とする請求項１記載の電子機器。
【発明の詳細な説明】
【技術分野】
【０００１】
本発明は、電子機器に関し、特に、薄型化および多機能化を実現するノートブック型パーソナルコンピュータに関する。
【背景技術】
【０００２】
近年、ノートブック型パーソナルコンピュータのような電子機器は、多機能化を実現するために、外部装置と接続するためのコネクタや最近ではテレビの映像音声データを受信するためのＴＶジャックなど、多くの機能部品が筐体の側壁に備えられるようになってきた。
【０００３】
特に、この種のコネクタやＴＶジャックは、予め規格でサイズが定められており、メーカ側で勝手にサイズ変更ができないようになっている。そのため、コネクタやジャックは比較的大型のサイズであり、パーソナルコンピュータの筐体（側壁）に効率よく配置する必要がでてきている。
【０００４】
しかしながら、パーソナルコンピュータを持ち運びやすくするために、更なる薄型化が望まれてきており、特に大型の機能部品（コネクタやＴＶジャックなど）の配置を検討する必要性がでてきた。
【０００５】
この問題に対処するため、大型の機能部品の大きさに合わせて筐体の底壁を変形させた構造が特許文献１に開示されている。
【先行技術文献】
【特許文献】
【０００６】
【特許文献１】特開２００６−３１１３８８号公報
【発明の概要】
【発明が解決しようとする課題】
【０００７】
特許文献１は、ＡＶノート型パーソナルコンピュータに関し、スピーカボックス容積を確保して音量や音質を向上させるため、筐体底壁の一部を凸形状とし、その凸形状でできたスペースをスピーカボックスの一部として使用し、且つ、凸形状部分が筐体底壁の脚およびチルト機構を兼ね備えているスピーカボックス構造が開示されている。
【０００８】
ところで、最近、パーソナルコンピュータを持ち運ぶユーザが増え、パーソナルコンピュータの薄型化がさらに加速されてきており、更なる薄型化が望まれてきている。また、薄型化とともに、多機能化の要望も多い。
【０００９】
特許文献１のように、比較的大型の機能部品に合わせて筐体の底壁を変形させると、筐体の一部で薄型化を達成できなくなってしまう。また、スピーカボックスの他にも比較的大型の機能部品にコネクタやＴＶジャックなどもあり、そういう機能部品に筐体の底壁の構造を合わせていては薄形にすることはできず、意匠性も損なわれてしまう。
【００１０】
更なる薄型化を実現しつつ、多くの機能部品を筐体に配置させながら意匠性も損なわせないようにするには設計上非常に困難である。
そこで、本発明は、上記事情を鑑みてなされたものであり、機能部品の実装領域の一部が筐体の脚部に侵入した形状を有し、更なる薄型化を実現できる電子機器を提供することにある。
【課題を解決するための手段】
【００１１】
本発明の一つの形態にかかる電子機器は、底壁を有する筐体と、前記底壁から下方に突出し、前記筐体が載置された場合に該筐体を支持する脚部と、前記脚部の上方に配置された機能部品と、を具備し、前記機能部品の最下点が前記底壁と同じ高さ、あるいは前記脚部に侵入していることを特徴とする。
【発明の効果】
【００１２】
本発明によれば、パーソナルコンピュータの筐体の脚部を必要以上に変形させる必要性をなくし、機能部品の高密度実装を可能にし、薄型化を実現することができる。
【図面の簡単な説明】
【００１３】
【図１】本発明の一実施形態に係る電子機器１１の外観例を示す斜視図。
【図２】電子機器１１を上下反転させて裏側から見たときの外観例を示す斜視図。
【図３】電子機器１１の裏側の底壁３０の平面図。
【図４】図３に示すＦ１−Ｆ１線に沿った断面図。
【図５】図３に示すＦ２−Ｆ２線に沿った断面図。
【図６】後側壁３４側からみた平面図。
【図７】図６に示す点線で囲まれた範囲の拡大図。
【発明を実施するための形態】
【００１４】
本発明の一実施形態に係る電子機器１１について、添付図面を参照して説明する。
図１は、本発明の一実施形態に係る電子機器１１の外観例を示す斜視図である。図２は、電子機器１１を上下反転させて裏側から見たときの外観例を示す斜視図である。図３は、電子機器１１の裏側の底壁３０の平面図である。電子機器１１は、例えばノートブック型パーソナルコンピュータである。
【００１５】
本明細書において、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００１６】
図１乃至図３に示すように、電子機器の一例であるパーソナルコンピュータ１１は、本体ユニット１２と、表示ユニット１３と、本体ユニット１２と表示ユニット１３との間に設けられるヒンジ部１４と、を備えている。ヒンジ部１４は、表示ユニット１３を回転可能に支持している。
【００１７】
表示ユニット１３は、ディスプレイ１５と、ディスプレイ１５の周囲を取り囲むように例えば合成樹脂で形成されたディスプレイケース１６と、を有している。ディスプレイ１５の一例として、本実施形態では、液晶ディスプレイが搭載されている。
【００１８】
本体ユニット１２は、上筐体２１と下筐体２７とを有しており、これらが上下に重ねあわされて本体ユニット１２を構成している。上筐体２１の上面には、各種情報を入力するキーボード２２や、タッチパッド２３と、上筐体２１に略長方形に設けられた開口部２４と、開口部２４の内側に嵌った一対のボタン２５等が配設されている。キーボード２２のキー２２Ａは、その一部のみを示している。
【００１９】
表示ユニット１３は、本体ユニット１２の後端部に、ヒンジ部１４を介して支持されており、表示ユニット１３は、閉じ状態と、開き状態との間で回動自由である。閉じ状態は、表示ユニット１３がキーボード２２を上方から覆うように本体ユニット１２の上に横たわる状態である。開き状態は、表示ユニット１３がキーボード２２やディスプレイ１５を露出させるように本体ユニット１２に対して起立する状態である。
【００２０】
下筐体２７は、底壁３０と、底壁３０の周囲から立ち上る複数の側壁から構成される上部が開放された薄型の箱形状をなし、電源回路やメモリ等の各種電子部品などが実装されたメイン基板２６が下筐体２７に収納されている。
【００２１】
図２に示すように、下筐体２１は、長方形状の底壁３０と、この周囲の４辺から立ち上る左側壁３２、右側壁３３、後側壁３４、及び前側壁３５とから構成されている。
【００２２】
下筐体２７が収納する電子部品１１の中にはＣＰＵ等の強制空冷を必要とする発熱体が含まれており、この発熱体を冷却するための冷却ファンや放熱フィン（図示せず）等の冷却装置も収納される。冷却ファンや放熱フィン等の冷却装置は、熱交換後の冷却風を外部に排気するため、本体ユニット１２の周辺部（ここでは、左側壁３２）に排気口４０が配設される。
【００２３】
電子機器１１には、外部装置との接続のための各種コネクタが配置されている。後側壁３４にはＴＶジャック６０と、ＬＡＮコネクタ６１と、ＤＣコネクタ６２等が配置され、左側壁３２にはＲＧＢコネクタ６３、ｅＳＡＴＡコネクタ６４、ＨＤＭＩコネクタ６５、ＵＳＢコネクタ６６等が配置されている。また、後側壁３４には、コネクタの他にもバッテリーを取り出すためのバッテリーイジェクトレバー７３、盗難防止用のケンジントンロック６７が設けられている。さらに、底壁３０には、電子機器１１に内蔵される各種電子機器を覆うカバーが設けられており、例えば、バッテリーカバー７０、ＨＤＤ（ハードディスクドライブ）カバー７１、メモリカバー７２などがある。
【００２４】
また、電子機器１１には、例えば、ユーザがキーボード２２のキー２２Ａを打っているときに、電子機器１１本体が滑らないように、底壁３０に複数個所、ゴム部材から成るすべり止め部材５０が設けられている。電子機器１１の底壁３０には、手前側（前方向Ｆ）に３箇所、奥側（後方向Ｒ）に２箇所、さらに、中央付近に２箇所のすべり止め部材５０が設けられている。すべり止め部材５０の形状は、前側壁３５から後側壁３４に向けて延びて略長方形の形を成している。
【００２５】
電子機器１１は、底壁３０から下方に向けて直接突出され周囲を囲むように形成された矩形状のゴム脚部５１が設けられ、すべり止め部材５０はこの矩形状のゴム脚部５１の中で貼着される。すべり止め部材５０は、ゴム脚部５１より下方向にはみ出した格好をしており、電子機器１１が載置台に置かれたときにその載置台の接地面と接触される。
【００２６】
次に、本発明の電子機器１１のＴＶジャック６０の配置構造について、図４乃至図７を用いて説明する。
図４は、図３に示すＦ１−Ｆ１線に沿った断面図である。また、図５は図３に示すＦ２−Ｆ２線に沿った断面図である。
図４ないし図５に示すように、ＴＶジャック６０はゴム脚部５１（または、すべり止め部材５０）の上方向に配置されている。ＴＶジャック６０は、アンテナからの情報を受信するためにケーブルと電気的に接続されるようになっており、接続されたケーブルは抜き挿し可能とされる。この抜き挿しの際に、電子機器１１はＲ方向、Ｆ方向に摩擦力が作用する。ＴＶジャック６０をゴム脚部５１（または、すべり止め部材５０）の上方向に配置したのは、この摩擦力を低減させることができるからである。また、上述したように、すべり止め部材５０は摩擦力が作用する方向に長く形成されているため、ケーブルの抜き挿しにおける電子機器１１のスライド移動も抑えることができる。
【００２７】
また、図５から分かるように、ＴＶジャック６０は、すべり止め部材５０の長手方向と同じく、Ｆ方向に延びている。
なお、電子機器１１には、ＨＤＤ８０、ＯＤＤ（オプティカルディスクドライブ）８１、スピーカ装置８２、ヒンジカバー８３が内設されている。
図６は、後側壁３４側からみた平面図である。図７は、図６に示す点線で囲まれた範囲の拡大図である。
図６に示すように、ＴＶジャック６０は他のコネクタ（例えば、ＬＡＮコネクタ６１やＤＣコネクタ６２）等の機能部品と比較して比較的大型の機能部品であることが分かる。従来では、このような大型の機能部品の形状に合わせて底壁３０を変形させていたが、それではこの変形部分だけ薄型化が実現できない。そこで、本発明では、機能部品の形状に合わせるのではなく、元々ある構造を利用する。すなわち、元々あるゴム脚部５１を利用し、ゴム脚部５１の上方にＴＶジャック６０を配置した。更なる薄型化をしようとした場合、筐体の底壁３０を上方に押し上げないとならないが、底壁３０を押し上げることによって、大型のＴＶジャック６０が底壁３０側に少し沈んだ構造となっている。
【００２８】
図７に示すように、ＴＶジャック６０は、中心導体１０１と外導体１０２から構成されている。中心導体１０１はケーブルの導線と中心で電気的に接続され、外導体１０２はケーブルの導線が中心導体１０１に嵌合するように弾力をもって支持される。そして、この中心導体１０１と外導体１０２を収納する収納穴１００も含めて、ここではＴＶジャック６０という。
【００２９】
また、ＴＶジャック６０の下方に筐体（後側壁３４）と同じ材質で、化粧部１０３が形成されている。この化粧部１０３は、ＴＶジャック６０の周囲を半分くらいまで囲んでおり、このような化粧部１０３は意匠性も考慮してジャック等の穴の周りに形成されることが多い。よって、ＴＶジャック６０を筐体に実装する際は、この化粧部１０３も含めた範囲をＴＶジャック６０の実装領域とする。
【００３０】
また、化粧部１０３の下方にあるＡ点（化粧部１０３の最下点）は、底壁３０の高さよりも距離Ｈだけ下方に位置されている。つまり、ＴＶジャック６０の実装領域の一部がゴム脚部５１に侵入している。収納穴１００も同様に、実装領域が下方向に下がっていることから、収納穴１００の下方にあるＢ点（収納穴１００の最下点）も、底壁３０と同じ高さの位置まで下がっている。なお、収納穴１００のＢ点が底壁３０より下方にありゴム脚部５１に侵入していても特に問題ない。
【００３１】
すなわち、薄型化により通常よりも底壁３０が押しあがった関係で、収納穴１００は底壁３０まで、化粧部１０３はゴム脚部５１の下方向に少し沈んだ状態となる。
本発明では、元々筐体に備えられているゴム脚部５１の上方にＴＶジャック６０を設け、ＴＶジャック６０が底壁３０と同じ高さになるまで落とし込ませ、さらに化粧部１０３はゴム脚部５１の一部に沈み込ませた構造をとっている。これにより、パーソナルコンピュータの厚みを更に薄くすることができ、大型の機能部品も筐体に収納することができる。なお、本発明ではＴＶジャック６０をゴム脚部５１の上方に配置したが、ＴＶジャック６０に限らず、その他のコネクタなどの機能部品が配置されても同様とする。
【００３２】
以上、本発明の実施形態に係るパーソナルコンピュータ１について説明したが、本発明はこれらに限定されるものではない。実施形態に係る各構成要素は、適宜組み合わせて用いることができる。また、この発明は上記実施形態そのままに限定されるものではなく、実施段階ではその要旨を逸脱しない範囲で構成要素を変形して具体化できる。
【符号の説明】
【００３３】
１１…パーソナルコンピュータ、１２…本体ユニット、１３…表示ユニット、１４…ヒンジ部、１５…ディスプレイ、１６…ディスプレイケース、２１…上筐体、２７…下筐体、３０…底壁、３２…左側壁、３３…右側壁、３５…前側壁、５０…すべり止め部材、５１…ゴム脚部、６０…ＴＶジャック、６１…ＬＡＮコネクタ
【図１】
2011138361.tif 000003
【図２】
2011138361.tif 000004
【図３】
2011138361.tif 000005
【図４】
2011138361.tif 000006
【図５】
2011138361.tif 000007
【図６】
2011138361.tif 000008
【図７】
2011138361.tif 000009
【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
第１の壁と、前記第１の壁の周縁から、該第１の壁が延びた方向とは交差する方向に延びた第２の壁とを有する筺体と、
前記第２の壁の一部を構成するとともに前記第１の壁の端部から前記筺体の外側に向かって突出し、前記筺体が載置された場合に該筺体を支持可能な支持部と、
前記筺体内に収容されたコネクタと、
を具備し、
前記第２の壁には、一部が前記第１の壁を介して前記支持部に達するとともに、前記筺体の側方に開口され、前記コネクタが露出された開口部が設けられたことを特徴とする電子機器。
【請求項２】
前記支持部は、長手方向が、前記コネクタと接続可能な外部コネクタが挿入される方向に延びた請求項１記載の電子機器。
【請求項３】
底壁と側壁とを有する筐体と、
前記側壁の一部を構成するとともに前記底壁から下方に突出し、前記筐体が載置された場合に該筐体を支持する脚部と、
前記脚部の上方に配置されたコネクタと、を具備し、
前記コネクタの中で最も前記底壁に近くに位置した部分が前記底壁と略同じ高さで、前記側壁に侵入していることを特徴とする電子機器。
【手続補正２】
【補正対象書類名】明細書
【補正対象項目名】００１１
【補正方法】変更
【補正の内容】
【００１１】
本発明の一つの形態にかかる電子機器は、第１の壁と、前記第１の壁の周縁から、該第１の壁が延びた方向とは交差する方向に延びた第２の壁とを有する筺体と、前記第２の壁の一部を構成するとともに前記第１の壁の端部から前記筺体の外側に向かって突出し、前記筺体が載置された場合に該筺体を支持可能な支持部と、前記筺体内に収容されたコネクタと、を具備し、前記第２の壁には、一部が前記第１の壁を介して前記支持部に達するとともに、前記筺体の側方に開口され、前記コネクタが露出された開口部が設けられたことを特徴とする。